(57)【要約】【課題】着脱時の取り扱い性が良好で、排泄液の吸収による吸収ポリマーの膨潤を阻害することなく、吸収ポリマーの吸収性能を十分に発揮させることができ、使用後に土壌等へ埋却した際に効率よく生分解される吸収性物品を提供する。【解決手段】この吸収性物品１は、少なくとも１つの内側袋部材１１、吸収ポリマー、及び外側袋部材１３を備えている。内側袋部材１１は、生分解性及び透液性を有するのシートにより薄い略シート状の形態に形成され、外部から閉鎖されかつ互いに分割された複数の収容空間を有する。吸収ポリマーは、生分解性を有するとともに略粒状又は略粉状の形態を有し、内側袋部材１１の各収容空間内に、収容空間内において自由に移動可能な状態で入れられている。外側袋部材１３は、生分解性及び透液性を有するシートにより形成され、内側袋部材１を重ね合わせた状態又は折り畳んだ状態で内包する。【選択図】図１
2010233601.tif 000002
【特許請求の範囲】
【請求項１】
着用者が排泄した排泄液を吸収する吸収性物品であって、
生分解性及び透液性を有する第１のシートにより薄い略シート状の形態に形成され、外部から閉鎖されかつ互いに分割された複数の収容空間を有する少なくとも１つの内側袋部材と、
生分解性を有するとともに略粒状又は略粉状の形態を有し、前記内側袋部材の前記各収容空間内に、前記収容空間内において自由に移動可能な状態で入れられた吸収ポリマーと、
生分解性及び透液性を有する第２のシートにより形成され、前記少なくとも１つの内側袋部材を重ね合わせた状態又は折り畳んだ状態で内包する外側袋部材と、
を備えることを特徴とする吸収性物品。
【請求項２】
請求項１に記載の吸収性物品において、
前記内側袋部材を形成する前記第１のシート、及び前記外側袋部材を形成する前記第２のシートは、不織布により形成され、
前記第１のシートは、前記第２のシートよりも高目付であることを特徴とする吸収性物品。
【請求項３】
請求項１又は請求項２に記載の吸収性物品において、
前記内側袋部材を形成するための前記第１のシートの接合箇所、及び、前記外側袋部材を形成するための前記第２のシートの接合箇所は、すべて溶着が用いられていることを特徴とする吸収性物品。
【請求項４】
請求項１ないし請求項３のいずれかに記載の吸収性物品において、
前記当該吸収性物品は、一方向に沿って延びた略長尺状の形状を有することを特徴とする吸収性物品。
【発明の詳細な説明】
【技術分野】
【０００１】
本発明は、着用者が排泄した排泄液を吸収する吸収性物品に関する。
【背景技術】
【０００２】
本願発明者らは、失禁パンツの交換式の吸収部材、又は使い捨ておむつの吸収容量の補強用の吸収部材などの用途として、コンパクトでパット状の形態を有する吸収性物品の開発を進めている。この種の吸収性物品では、使用後の処分をどのように行うかが常に問題となっており、簡易な処分方法が望まれている。
【０００３】
おむつに関する従来技術としては、おむつを生分解性の素材により形成することで土壌等への埋却を可能としたものがある（特許文献１）。
【０００４】
また、おむつ等の吸収容量を補強する従来の補助吸収部材としては、特許文献２、３に記載のものがある。例えば、特許文献２に記載の吸収性物品（積層体（１０））では、熱溶着等により接合された表面シート（１１）と裏面シート（１２）の間に、吸収ポリマー等からなる吸収体（１３）を挟み込んで構成されている（段落［００１３］、図２等参照）。しかし、この特許文献２に記載の吸収性物品では、表面シート（１１）と裏面シート（１２）とによって形成された収容空間内において吸収ポリマーの自由度及び膨潤時のスペース的な余裕が乏しい。このため、排泄液の吸収時に吸収ポリマーの膨潤の妨げとなり、吸収ポリマーの吸収性能（吸収容量）が損なわれるおそれがある。また、着用時には吸収性物品を折り畳みながら袋収容体（２０）に挿入する等の煩雑な作業が必要であり、取り扱い性が悪い。
【先行技術文献】
【特許文献】
【０００５】
【特許文献１】特開２００３−２６５５２２号公報
【特許文献２】特開２０００−３５４６０９号公報
【特許文献３】特開２００３−７０８４３号公報
【発明の概要】
【発明が解決しようとする課題】
【０００６】
そこで、本発明の解決すべき課題は、着脱時の取り扱い性が良好で、排泄液の吸収による吸収ポリマーの膨潤を阻害することなく、吸収ポリマーの吸収性能を十分に発揮させることができ、使用後に土壌等へ埋却した際に効率よく生分解される吸収性物品を提供することである。
【課題を解決するための手段】
【０００７】
上記の課題を解決するため、請求項１の発明では、着用者が排泄した排泄液を吸収する吸収性物品であって、生分解性及び透液性を有する第１のシートにより薄い略シート状の形態に形成され、外部から閉鎖されかつ互いに分割された複数の収容空間を有する少なくとも１つの内側袋部材と、生分解性を有するとともに略粒状又は略粉状の形態を有し、前記内側袋部材の前記各収容空間内に、前記収容空間内において自由に移動可能な状態で入れられた吸収ポリマーと、生分解性及び透液性を有する第２のシートにより形成され、前記少なくとも１つの内側袋部材を重ね合わせた状態又は折り畳んだ状態で内包する外側袋部材とを備える。
【０００８】
また、請求項２の発明では、請求項１の発明に係る吸収性物品において、前記内側袋部材を形成する前記第１のシート、及び前記外側袋部材を形成する前記第２のシートは、不織布により形成され、前記第１のシートは、前記第２のシートよりも高目付である。
【０００９】
また、請求項３の発明では、請求項１又は請求項２の発明に係る吸収性物品において、前記内側袋部材を形成するための前記第１のシートの接合箇所、及び、前記外側袋部材を形成するための前記第２のシートの接合箇所は、すべて溶着が用いられている。
【００１０】
また、請求項４の発明では、請求項１ないし請求項３のいずれかの発明に係る吸収性物品において、前記当該吸収性物品は、一方向に沿って延びた略長尺状の形状を有する。
【発明の効果】
【００１１】
請求項１に記載の発明に係る吸収性物品によれば、内部の収容空間内に略粒状又は略粉状の形態を有する吸収ポリマーが入れられた少なくとも１つの内側袋部材が、重ね合わされた状態又は折り畳んだ状態で外側袋部材によって内包されている。このため、薄型でコンパクトな構成としながら十分な吸収容量が得られるとともに、失禁パンツ又はおむつ等に対する着脱時の取扱性も良好な吸収性物品を実現できる。
【００１２】
また、内側袋部材の各収容空間内に、略粒状又は略粉状の形態を有する吸収ポリマーが収容空間内において自由に移動可能な状態で入れられている。このため、排泄液の吸収により吸収ポリマーが膨潤する際のスペース的な余裕を十分に確保することができ、その結果、吸収ポリマーの膨潤を阻害することなく、吸収ポリマーの吸収性能を十分に発揮させることができる。
【００１３】
また、内側袋部材の各収容空間内において吸収ポリマーが自由に移動できるため、吸収性物品の装着時における形状変化の自由度も大きい。その結果、吸収性物品の配置場所等に応じて吸収性物品の形状を自由に変化させることができ、吸収性物品を種々の用途に使用できる。例えば、おむつの吸収容量の補強等のために、テープ型又はパンツ型のおむつの内側に本発明に係る吸収性物品を任意の数だけ配置してもよい。この場合、本発明に係る吸収性物品をおむつの内面と着用者の肌面（例えば、股下部又は排泄部位付近）との間に挟み込んで吸収性物品を保持するようにしてもよいし、おむつの肌面側に本発明に係る吸収性物品を保持するための保持構造を設けてもよい。
【００１４】
また、本発明に係る吸収性物品は薄型でコンパクトな構成となっているため、当該吸収性物品をおむつ又は失禁パンツの内側に配置する場合等に、当該吸収性物品の配置により着用者が感じる圧迫感又は異物感等の違和感を軽減できる。また、身体が拘縮した着用者の場合、身体の萎縮等によりおむつと身体との間に隙間が生じ、その隙間から尿等が漏れることがある。このような場合、おむつの内側に尿パット等を装着して隙間ができるのを防止するのが好ましいが、身体の拘縮により尿パット等の装着が困難なことがある。このように身体の拘縮により尿パット等の装着が困難な場合であっても、着用者におむつを装着させた状態でおむつと身体との間に本発明に係る吸収性物品を挿入し、おむつと身体との間の隙間を塞ぐことができる。なお、拘縮とは、寝たきり等により脚を動かさなくなったため、筋肉が萎縮し、間接可動域が制限された状態のことをいう。
【００１５】
また、吸収ポリマーを内包した少なくとも１つの内側袋部材が外側袋部材に内包されている。このため、失禁パンツ又はおむつ等への装着時に吸収性物品を折り畳む等の手間が必要ないとともに、折り畳んだ状態を保持するために吸収性物品を他の袋体に収容する必要もなく、着脱時の取り扱い性が良好である。
【００１６】
また、本発明に係る吸収性物品に含まれる内側袋部材、外側袋部材及び吸収ポリマーを構成する全ての素材が生分解性の素材により形成されているため、使用後は当該吸収性物品を土壌等に埋却して処分できる。しかも、吸収ポリマーが内側袋部材の複数の収容空間に分けて入れられているため、当該吸収性物品が土壌等に埋却された際に、吸収ポリマーを塊にならずに分散させて効率よく生分解させることができる。その結果、吸収性物品全体を効率よく生分解させることができる。
【００１７】
請求項２に記載の発明によれば、内側袋部材を形成する第１のシートが外側袋部材を形成する第２のシートよりも高目付である。このため、第１のシートを形成する不織布の繊維の隙間を小さくして吸収ポリマーが第１のシートを通り抜けて外部に漏れるのを防止しながら、第２のシートの目付を抑制することができ、その結果、吸収性物品の材料コストを抑制できる。
【００１８】
また、第１のシートの目付を第２のシートの目付よりも高目付にすることにより、第１のシートに生分解性を有さないティッシュペーパーを用いなくても、内側袋部材により吸収ポリマーを確実に封止できる。なお、ティッシュペーパーは、生分解性を有していないが、通常の場合、不織布よりも繊維の目が小さいという特性を有している。
【００１９】
請求項３に記載の発明によれば、内側袋部材を形成するための第１のシートの接合箇所、及び、外側袋部材を形成するための第２のシートの接合箇所に、すべて溶着が用いられ、接着剤が用いられてないため、接着剤の使用により吸収性物品の生分解性が損なわれるのを回避できる。
【００２０】
請求項４に記載の発明によれば、吸収性物品が一方向に沿って延びた略長尺状の形状を有するため、本発明に係る吸収性物品を、失禁パンツ又はおむつ等の内側における着用者の股下部等に沿った領域に、着用者に違和感を与えることなく、配置することができる。特に、身体が拘縮した着用者に対しては、着用者におむつを装着させた状態でおむつと着用者の肌面との間の隙間から、本発明に係る吸収性物品を着用者の股下部等に容易に挿入できる。
【図面の簡単な説明】
【００２１】
【図１】本発明の一実施形態に係る吸収性物品の一部を破断した斜視図である。
【図２】図１の吸収性物品に備えられる内側袋部材の平面図である。
【図３】図２の内側袋部材のＡ１−Ａ１線に沿った断面の構成を示す図である。
【図４】図１の吸収性物品の変形例を示す断面図である。
【図５】図１の吸収性物品が用いられる失禁パンツの斜視図である。
【図６】図５の失禁パンツを左右のサイド部分（図５の仮想線Ｌ１の部分）で切って平面的に展開した図である。
【図７】図５の失禁パンツのＡ２−Ａ２線に沿った断面の構成を示す断面図である。
【図８】図５の失禁パンツに対する吸収性物品の着脱時の操作を説明するための図である。
【図９】図１の吸収性物品の使用例を示し、吸収性物品がおむつの内側に配置された状態を示す図である。
【図１０】図１の吸収性物品をおむつの内側に配置する際の配置例を示す図である。
【図１１】図１の吸収性物品の他の使用例を示し、吸収性物品が略袋状の男性用尿吸収物品内に挿入された状態を示す図である。
【発明を実施するための形態】
【００２２】
図１は本発明の一実施形態に係る吸収性物品の一部を破断した斜視図であり、図２は図１の吸収性物品に備えられる内側袋部材の平面図であり、図３は図２の内側袋部材のＡ１−Ａ１線に沿った断面の構成を示す図である。
【００２３】
本実施形態に係る吸収性物品１は、図１ないし図３に示すように、複数の内側袋部材１１と、その各内側袋部材１１内に入れられた吸収ポリマー１２と、複数の内側袋部材１１を収容する外側袋部材１３とを備えて構成され、着用者が排泄した尿、軟便中に含まれる水分又は経血等の排泄液を吸収するために用いられる。本実施形態では、吸収性物品１は主に尿の吸収に用いられる。吸収性物品１に用いられるすべての素材は、後述するように生分解性の材料により形成されており、使用後は吸収性物品１を土壌等に埋却できるようになっている。なお、本実施形態では外側袋部材１３内に３つの内側袋部材１１を収容したが、３つに限らず、１つでも、２つでも４つ以上でもよい。
【００２４】
内側袋部材１１は、図２及び図３に示すように、薄い略シート状の形態を有し、生分解性及び透液性を有する不織布からなる２枚の第１のシート１５，１６により形成されている。内側袋部材１１の内部には、外部から閉鎖され、かつ互いに互いに分割された複数の収容空間１７が形成されている。第１のシート１５，１６を形成する不織布の材料としては、例えばポリ乳酸が用いられる。
【００２５】
第１のシート１５，１６は、一方向に沿って略長尺状に延びた略矩形の平面形状を有している。２枚の第１のシート１５，１６の周縁部１５ａ，１６ａ、及び複数の収容空間１７間を分割する仕切り部１５ｂ，１６ｂが、溶着（加熱溶着又は超音波溶着）によって互いに接合されている（本実施形態では、加熱溶着が用いられている）。これによって、内側袋部材１１内に、外部から遮断されかつ互いに分割された複数の収容空間１７が形成される。本実施形態では、８つの収容空間１７が２列に分けて形成されているが、収容空間１７の数も８つに限定するものではなく、また収容空間１７を３列以上に分けて設けてもよいし、１列だけの構成としてもよい。なお、本実施形態では、２枚の第１のシート１５，１６を用いて内側袋部材１１を形成したが、１枚の第１のシート１５を二つ折りにして接合することにより、内側袋部材１１を形成してもよい。
【００２６】
吸収ポリマー１２は、生分解性を有するとともに略粒状又は略粉状の形態を有し、各内側袋部材１１の各収容空間１７内に、収容空間１７内において自由に移動可能な状態で入れられている。このため、吸収ポリマー１２の各収容空間１７内への充填量は、各収容空間１７内に十分な余剰スペースが確保可能な分量に設定される。吸収ポリマー１２の材料としては、例えばポリアスパラギン酸が用いられる。
【００２７】
外側袋部材１３は、図１に示すように、生分解性及び透液性を有する不織布からなる２枚の第２のシート１８，１９により形成されている。この外側袋部材１３の収容空間内に、複数の内側袋部材１１が重ね合わされた状態で収容される。第２のシート１８，１９を形成する不織布の材料としては、例えばポリ乳酸が用いられる。
【００２８】
第２のシート１８，１９は、一方向に沿って略長尺状に延びた略矩形の平面形状を有している。２枚の第２のシート１８，１９の周縁部１８ａ，１９ａが、溶着（加熱溶着又は超音波溶着）によって互いに接合されている（本実施形態では、加熱溶着が用いられている）、これによって、外側袋部材１３の袋構造が形成される。なお、本実施形態では、２枚の第２のシート１８，１９を用いて外側袋部材１３を形成したが、１枚の第２のシート１８を二つ折りにして接合することにより、外側袋部材１３を形成してもよい。
【００２９】
このように構成される吸収性物品１は、図１に示すように、一方向に沿って延びた薄い略長尺状の形状を有している。
【００３０】
また、本実施形態では、内側袋部材１１を形成する第１のシート１５，１６の目付は、吸収ポリマー１２がシート１５，１６の不織布繊維の隙間を通り抜けて外部の漏れるの防止するため、外側袋部材１３を形成する第２のシート１８，１９の目付よりも高目付に設定されている。例えば、第１のシート１５，１６の目付は１平方メートル当たり約３０ｇに設定され、第２のシート１８，１９の目付は１平方メートル当たり約２０ｇに設定される。
【００３１】
なお、図１に示す構成では、互いに分離された３つの内側袋部材１１を重ね合わせた状態で外側袋部材１３内に収容したが、この点に関する変形例として図４に示す構成が挙げられる。この図４に示す構成では、１つの内側袋部材１１がその縦方向又は横方向に沿って折り畳まれて、外側袋部材１３内に収容されている。さらなる変形例として、縦方向又は横方向に沿って折り畳まれた複数の内側袋部材１１を外側袋部材１３内に収容してもよい。
【００３２】
次に、図５ないし図１１を参照して本実施形態に係る吸収性物品１の使用例について説明する。本実施形態に係る吸収性物品１は、薄型でコンパクトであるとともに、内側袋部材１１の収容空間１７内において吸収ポリマー１２が自由に移動できるため、吸収性物品１の装着時における形状変化の自由度も大きい。その結果、吸収性物品１の配置場所等に応じて吸収性物品１の形状を自由に変化させることができ、吸収性物品１を種々の用途に使用できる。
【００３３】
例えば、本実施形態に係る吸収性物品１を、図５ないし図８に示すような失禁パンツ１０１に適用することができる。なお、図６において図面に向かって上側が失禁パンツ１０１の前側に対応している。
【００３４】
この失禁パンツ１０１は、図５ないし図８に示すように、パンツ本体１１１と、防水シート１１２と、表面シート１１３と、保持部１１４と、第１及び第２止着部１１５，１１６とを備えて構成され、本実施形態に係る吸収性物品１が着脱自在に装着される。この失禁パンツ１０１は、洗濯可能であり、何度も再利用できるものである。
【００３５】
パンツ本体１１１は、洗濯可能な１又は複数の布材がパンツの外形を構成するように縫合等により接合されて形成されており、左右の脚孔１２１及びウエスト開口１２２を有している。パンツ本体１１１を構成する布材としては、例えば、綿、化学繊維又はそれらの混合繊維からなる織布が用いられる。
【００３６】
防水シート１１２は、不透液性の素材により形成され、パンツ本体１１１の肌面側におけるパンツ本体１１１の股下部１２３を含む領域を覆うように、縫合又は接着等により固定されている。この簿防水シート１１２によって、後述する吸収部材１１７によって吸収された尿が失禁パンツ１０１の外部にしみ出すのが防止される。
【００３７】
表面シート１１３は、透液性を有するシート材によって形成され、吸収部材１１７をカバー部材１１２との間に挟み込んで保持する。表面シート１１３における失禁パンツ１０１の後側の外縁１１３ａに沿った略Ｕ字状又は略円弧状の後側固定部分１１３ｂは、防水シート１１２の肌面側における後側に位置する部分に、縫合等により固定されている。表面シート１１３の後側固定部分１１３ｂよりも失禁パンツ１０１の前側に位置する部分は、図８に示すように、防水シート１１２等と固定されておらず、吸収性物品１の着脱時に防水シート１１２に対して近接、離反できるようになっている。
【００３８】
保持部１１４は、表面シート１１３の後側固定部分１１３ｂと防水シート１１２とによって囲まれた略ポケット状の空間を有し、吸収性物品１の後側の部分１ａを受け入れて保持する。
【００３９】
第１及び第２の止着部１１５，１１６は、表面シート１１３の前側の部分をパンツ本体１１１側（具体的には防水シート１１２）に着脱自在に固定するためのものである。第１の止着部１１５は、表面シート１１３の外面側（肌面側と反対側）における前側の部分に縫合又は接着等により固定されている。第２の止着部１１６は、防水シート１１２の肌面側における第１の止着部１１５と対応する位置に縫合又は接着等により固定され、第１の止着部１１５が着脱自在に止着される。第１の止着部１５及び第２の止着部１６としては、例えば、一方に複数のループ構造が設けられたループ部材が用いられ、他方に複数のフック構造が設けられたフック部材が用いられる。
【００４０】
失禁パンツ１０１に吸収性物品１を装着するときは、図８に示すように、第１及び第２の止着部１１５，１１６の止着状態を解除し、表面シート１１３の前側の部分を防水シート１１２から引き離すようにしてめくり上げて開く。そして、吸収性物品１の後側の部分１ａを保持部１１４内に挿入するようにして、吸収性物品１を防水カバー１１２上に置き、表面シート１１３の前側の部分を閉じて、第１の止着部１１５を第２の止着部１１６に止着する。吸収性物品１の交換又は取り外しは、第１及び第２の止着部１１５，１１６の止着状態を解除することにより、容易に行える。
【００４１】
他の使用例として、図９に示すように、おむつ１３１の吸収容量の補強等のために、本実施形態に係る吸収性物品１をおむつ１３１の内面側に任意の数だけ配置してもよい。なお、おむつ１３１はテープ型又はパンツ型のいずれでも問題ない。吸収性物品１の配置位置としては、例えば、おむつ１３１の内面と着用者の肌面との間における着用者の排泄部（例えば、陰部）から股下部にかけたいずれかの領域が挙げられる。この場合、おむつ１３１の内面側に図１０に示すように着用者の肌面側に向けて立ち上がる立体ギャザー１３２が設けられている場合には、吸収性物品１をおむつ１３１の立体ギャザー１３２の左右方向内方側における立体ギャザー１３２とトップシート１３３との間に配置することにより、吸収性物品１の位置ずれ及び脚穴から脱落等を防止できる。なお、他の例として、おむつ１３１の肌面側に吸収性物品１を保持するための保持構造を設けてもよい。
【００４２】
また、身体が拘縮した着用者の場合、身体の萎縮等によりおむつ１３１と身体との間に隙間が生じ、その隙間から尿等が漏れることがある。このような場合、おむつ１３１の内側に尿パット等を装着して隙間ができるのを防止するのが好ましいが、身体の拘縮により尿パット等の装着が困難なことがある。このように身体の拘縮により尿パット等の装着が困難な場合であっても、着用者におむつ１３１を装着させた状態でおむつ１３１と身体との間に吸収性物品１を挿入し、おむつ１３１と身体との間の隙間を塞ぐことができる。
【００４３】
また、図１１に示す使用例では、本実施形態に係る吸収性物品１が略袋状の男性用尿吸収物品１３６の尿吸収容量の補強のため、尿吸収物品１３６内に挿入されている。尿吸収物品１３６は、袋状の形態を有し、その開口部から着用者の陰茎が挿入されるようになっている。このような尿吸収物品１３６は、おむつ１３１と併用される場合が多い。
【００４４】
以上のように、本実施形態に係る吸収性物品１によれば、内部の収容空間１７内に略粒状又は略粉状の形態を有する吸収ポリマー１２が入れられた複数の内側袋部材１１が、重ね合わされた状態で外側袋部材１３によって内包されている。このため、薄型でコンパクトな構成としながら十分な吸収容量が得られるとともに、上述の失禁パンツ１０１又はおむつ３１等に対する着脱時の取扱性も良好な吸収性物品１を実現できる。
【００４５】
また、内側袋部材１１の各収容空間１７内に、略粒状又は略粉状の形態を有する吸収ポリマー１２が収容空間１７内において自由に移動可能な状態で入れられている。このため、排泄液の吸収により吸収ポリマー１２が膨潤する際のスペース的な余裕を十分に確保することができ、その結果、吸収ポリマー１２の膨潤を阻害することなく、吸収ポリマー１２の吸収性能を十分に発揮させることができる。
【００４６】
また、内側袋部材１１の各収容空間１７内において吸収ポリマー１２が自由に移動できるため、吸収性物品１の装着時における形状変化の自由度も大きい。その結果、吸収性物品１の配置場所等に応じて吸収性物品１の形状を自由に変化させることができ、上記の如く、吸収性物品１を種々の用途に使用できる。例えば、上記の如く、おむつの吸収容量の補強等のために、おむつの内側に本実施形態に係る吸収性物品１を任意の数だけ配置してもよい。
【００４７】
また、本実施形態に係る吸収性物品１は上記の如く薄型でコンパクトな構成となっている。このため、吸収性物品１を失禁パンツ又はおむつの内側に配置する場合等に、当該吸収性物品１の配置により着用者が感じる圧迫感又は異物感等の違和感を軽減できる。例えば、上記の如く、着用者が身体の拘縮により尿パット等の装着が困難な場合であっても、着用者におむつを装着させた状態でおむつと身体との間に吸収性物品１を挿入し、おむつと身体との間の隙間を塞ぐことができる。
【００４８】
また、吸収ポリマー１２を内包した複数の内側袋部材１１が外側袋部材１３に内包されている。このため、失禁パンツ又はおむつ等への装着時に吸収性物品１を折り畳む等の手間が必要ないとともに、折り畳んだ状態を保持するために吸収性物品１を他の袋体に収容する必要もなく、着脱時の取り扱い性が良好である。
【００４９】
また、吸収性物品１が一方向に沿って延びた略長尺状の形状を有するため、吸収性物品１を、失禁パンツ又はおむつ等の内側における着用者の股下部等に沿った領域に、着用者に違和感を与えることなく、配置することができる。特に、上述の如く、身体が拘縮した着用者に対しては、着用者におむつを装着させた状態でおむつと着用者の肌面との間の隙間から、吸収性物品１を着用者の股下部等に容易に挿入できる。
【００５０】
また、吸収性物品１に含まれる内側袋部材１１、外側袋部材１３及び吸収ポリマー１２を構成する全ての素材が生分解性の素材により形成されているため、使用後は当該吸収性物品１を土壌等に埋却して処分できる。しかも、吸収ポリマー１２が複数の内側袋部材１１に分けて入れられているとともに、各内側袋部材１１内においても分割された複数の収容空間１７に分けて入れられているため、当該吸収性物品１７が土壌等に埋却された際に、吸収ポリマー１２を塊にならずに分散させて効率よく生分解させることができる。その結果、吸収性物品１全体を効率よく生分解させることができる。
【００５１】
また、本実施形態によれば、内側袋部材１１を形成する第１のシート１５，１６が外側袋部材１３を形成する第２のシート１８，１９よりも高目付である。このため、第１のシート１５，１６を形成する不織布の繊維の隙間を小さくして吸収ポリマー１２が第１のシート１５，１６を通り抜けて外部に漏れるのを防止しながら、第２のシート１８，１９の目付を抑制することができ、その結果、吸収性物品１の材料コストを抑制できる。
【００５２】
また、第１のシート１５，１６の目付を第２のシート１８，１９の目付よりも高目付にすることにより、第１のシート１５，１６に生分解性を有さないティッシュペーパーを用いなくても、内側袋部材１５，１６により吸収ポリマー１２を確実に封止できる。
【００５３】
また、内側袋部材１１を形成するための第１のシート１５，１６の接合箇所、及び、外側袋部材１３を形成するための第２のシート１８，１９の接合箇所に、すべて溶着が用いられ、接着剤が用いられてないため、接着剤の使用により吸収性物品１の生分解性が損なわれるのを回避できる。
【００５４】
なお、上述の実施形態に係る吸収性物品１のさらなる変形例として、吸収性物品１に含まれる内側袋部材１１、外側袋部材１３及び吸収ポリマー１２を構成する全ての素材を、生分解性に加えて水解性を有する素材により形成してもよい。これによって、使用後の吸収性物品１を土壌への埋却するだけでなく、水洗トイレ等に流して処分することもできる。
【符号の説明】
【００５５】
１  吸収性物品、１１  内側袋部材、１２  吸収ポリマー、１３  外側袋部材部、１５，１６  第１のシート、１５ａ，１６ａ  周縁部、１５ｂ，１６ｂ  仕切り部、１７  収容空間、１８，１９  第２のシート、１８ａ，１９ａ  周縁部、１０１  失禁パンツ、１１１  パンツ本体、１１２  防水シート、１１３  表面シート、１１４  保持部、１１５  第１の止着部、１１６  第２の止着部、１３１  おむつ、１３２  立体ギャザー、１３３  トップシート、１３６  男性用尿吸収物品。
【図１】
2010233601.tif 000003
【図２】
2010233601.tif 000004
【図３】
2010233601.tif 000005
【図４】
2010233601.tif 000006
【図５】
2010233601.tif 000007
【図６】
2010233601.tif 000008
【図７】
2010233601.tif 000009
【図８】
2010233601.tif 000010
【図９】
2010233601.tif 000011
【図１０】
2010233601.tif 000012
【図１１】
2010233601.tif 000013